(57)【要約】本発明は、着用者の大腿部を覆う衣服（１）を提供する。当該衣服は１対の前面抵抗要素（６）を備え、前記１対の前面抵抗要素のそれぞれは、使用の際に前記着用者の大腿部の前面にわたって斜めに延びる。また、当該衣服は１対の背面抵抗要素（１０）を備え、前記１対の背面抵抗要素のそれぞれは、使用の際に前記着用者の大腿部の背面にわたって斜めに延びる。前記１対の前面抵抗要素及び前記１対の背面抵抗要素のそれぞれは、前記衣服の中心線に対して近位に位置付けられるそれぞれの上側位置（７，１１）から前記衣服の中心線から遠位に位置付けられるそれぞれの下側位置（９，１２）まで延びる。【選択図】図１
2014515440.tif 000002
【特許請求の範囲】
【請求項１】
着用者の大腿部を覆う衣服であって、
当該衣服は、１対の前面抵抗要素と、１対の背面抵抗要素と、を備え、
前記前面抵抗要素のそれぞれは、使用の際に前記着用者の前記大腿部の前面にわたって斜めに延び、
前記背面抵抗要素のそれぞれは、使用の際に前記着用者の前記大腿部の背面にわたって斜めに延び、
前記前面抵抗要素及び前記背面抵抗要素のそれぞれは、前記衣服の中心線に対して近位に位置付けられるそれぞれの上側位置から前記衣服の前記中心線から遠位に位置付けられるそれぞれの下側位置まで延びる、衣服。
【請求項２】
請求項１に記載の衣服であって、
各それぞれの上側位置は、使用の際に、前記着用者のそれぞれの大転子と略水平に同じ高さである、衣服。
【請求項３】
請求項１又は２に記載の衣服であって、
各それぞれの上側位置は該衣服の前記中心線から離間しているが前記衣服の中心線に対して近位に位置付けられる、衣服。
【請求項４】
請求項１〜３のいずれか１項に記載の衣服であって、
前記抵抗要素の少なくとも１つは弾性シームを有する、衣服。
【請求項５】
請求項１〜４のいずれか１項に記載の衣服であって、
前記抵抗要素の少なくとも１つは弾性材料のスプライスを有する、衣服。
【請求項６】
請求項１〜５のいずれか１項に記載の衣服であって、
各それぞれの上側前面位置は、使用の際に前記着用者の前記それぞれの大腿部の前面中心に位置付けられ、
各それぞれの下側前面位置は、使用の際に前記着用者のそれぞれの外腿部に位置付けられる、衣服。
【請求項７】
請求項１〜６のいずれか１項に記載の衣服であって、
各それぞれの上側背面位置は、使用の際に前記着用者の前記それぞれの大腿部の背面中心に位置付けられ、
各それぞれの下側背面位置は、使用の際に前記着用者のそれぞれの外腿部に位置付けられる、衣服。
【請求項８】
請求項１〜７のいずれか１項に記載の衣服であって、
前記衣服は、胴下半部被覆部を備え、
前記前面抵抗要素及び／又は前記背面抵抗要素は、胴下半部被覆部にわたってウエストバンドまで延びる、衣服。
【請求項９】
請求項８に記載の衣服であって、
各背面抵抗要素は、そのそれぞれの上側背面位置から前記胴下半部被覆部にわたって前記衣服の中心線の両側に延び、使用の際に前記１対の前記背面抵抗要素のそれぞれが前記着用者の臀部の左右それぞれの臀部にわたって延びるようになっている、衣服。
【請求項１０】
請求項８又は９に記載の衣服であって、
前記背面抵抗要素は、前記衣服の中心線に対して略平行に前記胴下半部被覆部にわたって延びる、衣服。
【請求項１１】
請求項１〜１０のいずれか１項に記載の衣服であって、
各前面抵抗要素は、使用の際に近接する前記着用者の前記外腿部に位置付けられる位置において、対応する前記背面抵抗要素に当接する、衣服。
【請求項１２】
請求項１〜１１のいずれか１項に記載の衣服であって、
前記衣服は、胴上半部被覆部を更に備える、衣服。
【請求項１３】
請求項１２に記載の衣服であって、
前記衣服の背面中心線に少なくとも部分的に沿って延びる背面中心線抵抗要素を更に備え、
前記背面中心線抵抗要素は、使用の際に前記着用者の脊柱に少なくとも部分的に沿って延びるようになっている、衣服。
【請求項１４】
請求項１３に記載の衣服であって、
前記背面中心線抵抗要素は、前記衣服の背面のネックラインから前記衣服の股部まで延びる、衣服。
【請求項１５】
請求項１２〜１４のいずれか１項に記載の衣服であって、
各前面抵抗要素は、そのそれぞれの上側前面位置から前記胴上半部被覆部の前方にわたって前記衣服の中心線の両側にかつ当該中心線に向かって延び、
前記１対の前記抵抗要素のそれぞれは、使用の際に前記着用者の前記それぞれの大腿部から前記着用者の胸骨に向かって延びるようになっている、衣服。
【請求項１６】
請求項１５に記載の衣服であって、
前記胴上半部被覆部の前記前面抵抗要素のそれぞれは、使用の際に前記着用者の前記胸骨に位置決めされる点の上方で前記衣服の中心線から離れるように斜めに延びる、衣服。
【請求項１７】
請求項１〜１６のいずれか１項に記載の衣服であって、
前記衣服は水泳用衣服である、衣服。
【請求項１８】
実質的に、添付図面を参照しながら記載されている本明細書における任意の１つの実施形態としての衣服。
【発明の詳細な説明】
【技術分野】
【０００１】
本発明は、衣服、詳細にはスポーツ用衣服すなわちスポーツ活動中に着用する衣服に関する。詳細な例が、好ましい用途である水着に関して記載される。しかし、本構想は例えば水球及びトライアスロンのウェアを含む他のスポーツ用衣服及び運動用衣服に適用することができる。
【背景技術】
【０００２】
アスリート及び水泳者は通常、競技イベントにおいて特に重要である空気抵抗／水抵抗を低減するのを助ける、ぴったりとフィットする衣服を着用する。
【０００３】
スポーツ活動中、疲労を低減するように活動筋に対するサポートを提供することが望ましく、これらの既知のぴったりとフィットする衣服の圧迫効果は或る限定的なサポートを提供する。強化したサポートを提供するには、筋肉を選択的に包帯する、すなわち「テーピングする」のと同じように筋肉に対するサポートを提供する弾性要素を設けることが既知である。着用者の下肢の、その非屈曲位置に戻る動きを補助するようにその後解放されるエネルギーを蓄積するために、（下肢の曲げ／屈曲動作によって）伸張することができる弾性要素を、大腿部の背面に設けることも既知である。
【０００４】
サポートを提供すること及び筋肉の動きを補助することと同様に、下肢を内転させて（すなわち胴体の方に抑えつけて）維持することによって下肢の旋回動作及び回転動作を安定させることができるように着用者の股関節をサポートすることも望ましい。
【０００５】
着用者の股関節に対する増大した安定性をもたらす衣服を提供することが本発明の好ましい目的である。
【発明の概要】
【０００６】
第１の態様において、本発明は、着用者の大腿部を覆う衣服であって、当該衣服は１対の前面抵抗要素と１対の背面抵抗要素とを備え、前記１対の前面抵抗要素のそれぞれは、使用の際に前記着用者の大腿部の前面にわたって斜めに延び、前記１対の背面抵抗要素のそれぞれは、使用の際に前記着用者の大腿部の背面にわたって斜めに延び、前記１対の前面抵抗要素及び前記１対の背面抵抗要素のそれぞれは、前記衣服の中心線に対して近位に位置付けられるそれぞれの上側位置から前記衣服の中心線から遠位に位置付けられるそれぞれの下側位置まで延びる、衣服を提供する。
【０００７】
背面衣服の前面及び背面の双方に、着用者の大腿部の前面及び背面にわたって延び、衣服の中心線から離れるように角度付けられた抵抗要素を有する衣服を提供することによって、着用者の股関節が安定する効果が得られる。衣服の中心線に対して近位である（また使用の際に着用者の身体の正中線に対して近位である）上側位置から衣服の中心線から遠位である下側位置まで延びることによって、抵抗要素は、下肢を内転させて、すなわち胴体と一直線に保持して維持するのを補助する。このことはいくつかの活動、例えば水泳において、抗力抵抗を低減させる、水中での線状の身体形状を補助するため有利である。抵抗要素は、着用者の下肢筋をサポートすること、及び着用者の胴部における体幹筋に下肢筋を固定することを助け、このことは股関節における下肢の安定性を向上させるのを助ける。
【０００８】
各抵抗要素のそれぞれの上側位置は、衣服が着用されているときに着用者のそれぞれの大転子と略水平に同じ高さである。このことは、抵抗要素が股関節をサポートするように機能する際に着用者の下肢を更に安定させるのを助ける。
【０００９】
各抵抗要素のそれぞれの上側位置は前記衣服の中心線から離間しているが前記衣服の中心線に対して近位に位置付けられることが好ましい。
【００１０】
各前面抵抗要素のそれぞれの上側前面位置は、使用の際に前記着用者の大腿部の前面の中心に位置付けられる。各抵抗要素のそれぞれの下側前面位置は、使用の際に前記着用者の外腿部に、好ましくは膝に近接して位置付けられることが好ましい。このようにして、前面抵抗要素は着用者の大腿筋の前面の全長に広がり、このことは筋肉のサポート及び股関節の安定性を最大限にする。
【００１１】
同様に、各背面抵抗要素のの上側背面位置は、使用の際に着用者のそれぞれの大腿部の背面中心（臀裂の下方）に位置付けられることが好ましい。各背面抵抗要素の下側背面位置は、使用の際に着用者のそれぞれの外腿部に、好ましくは膝に近接して位置付けられることが好ましい。ここでも同様に、この構成によって、背面抵抗要素が着用者の大腿部の全長に広がり、それによって筋肉のサポート及び股関節の安定性が最大限になることが確実となる。
【００１２】
衣服は大腿部被覆部の上方に延びる胴下半部被覆部を備えることが好ましい。例えば、衣服はジャマーとして既知のタイプの水泳用衣服とすることができるか、又は衣服はアスレチックショーツとすることができる。胴下半部被覆部はウエストバンドにおいて終端することができる。
【００１３】
各前面抵抗要素は、そのそれぞれの上側前面位置から胴下半部被覆部にわたって衣服の中心線の両側に、好ましくは上方にウエストバンドまで延びることが好ましい。このことは、着用者の胴下半部における体幹筋に下肢筋を固定し、したがって股関節の安定性を更に向上させるのを助ける。
【００１４】
各背面抵抗要素は、そのそれぞれの上側背面位置から前記胴下半部被覆部にわたって前記衣服の中心線の両側に延び、使用の際に前記１対の背面抵抗要素のそれぞれが前記着用者の各臀部にわたって延びるようになっていることが好ましい。
【００１５】
背面抵抗要素を胴下半部被覆部の背面にわたって延ばすことにより、背面抵抗バンドは、着用者の下肢が第１の方向（抵抗バンドが伸張される）に曲げられるときにエネルギー蓄積部として機能することができ、蓄積されたエネルギーは、反対の第２の方向（抵抗バンドはその弛緩状態に戻る）における着用者の下肢の動きを補助するように機能する。この蓄積されたエネルギー及び動きの補助は、素早い作用（snap action）をもたらすことによって動きの速度及び精度を向上させるのに有益である。
【００１６】
前記背面抵抗要素は、前記衣服の中心線に対して略平行に前記胴下半部被覆部にわたって延びることが好ましい。このことは、着用者の下肢が曲げられ、これにより背面抵抗要素によってもたらされる第２の方向における動きに対する素早い作用が最大限にされるときに、背面抵抗要素の伸張を最大化させるのを助ける。背面抵抗要素を胴下半部被覆部にわたってウエストバンドまで延ばすことにより、背面抵抗要素の長さを最大限にする（したがって背面抵抗要素によって蓄積することができるエネルギー量を最大限にする）ことが最も好ましい。
【００１７】
背面抵抗要素が着用者の臀部にわたって延びることの更なる利点は、背面抵抗要素が、着用者の臀部を圧迫し、したがって着用者の臀部の出っ張りによって引き起こされるいかなる形状抗力をも低減させる圧迫効果をもたらすことである。
【００１８】
好ましい実施形態において、各前面抵抗要素は、使用の際に好ましくは膝に近接して前記着用者の前記外腿部に位置付けられる位置において対応する前記背面抵抗要素に当接する。前面抵抗バンドと背面抵抗バンドとを当接させる又は接合することにより、前面抵抗バンド及び背面抵抗バンドは、股関節を安定させるとともに下肢を内転させて、すなわち胴体の方にサポートして維持するのを助ける「起点」を効果的に形成する。
【００１９】
衣服は胴上半部被覆部を更に備えることが好ましい。例えば、衣服はニースキン水着とすることができる。
【００２０】
好ましい実施形態において、衣服は、当該衣服の背面中心線に少なくとも部的に沿って延びる背面中心線抵抗要素を更に備える。該背面中心線抵抗要素は使用の際に前記着用者の脊柱に少なくとも部的に沿って延びるようになっている。前記背面中心線抵抗要素は、該衣服の背面の襟足から前記衣服の股部まで延びることが好ましい。この背面中心線抵抗要素は、着用者がまっすぐな脊柱を伴う良い姿勢を維持するのを助ける。このことは、種々の活動において能力を補助する。例えば水泳活動において、背面中心線抵抗要素により、着用者は、水中で、水抵抗を低減するのを助けてスイミングストロークの効果を向上させる線状姿勢を維持することができる。
【００２１】
各前面抵抗要素は、（例えば上腿の前面中心における）そのそれぞれの上側前面位置から上記胴上半部被覆部の前面にわたって衣服の中心線の両側にかつ中心線に向かって延び、使用の際に１対の前面抵抗要素のそれぞれは着用者のそれぞれの大腿部から着用者の胸骨に向かって延びるようになっていることが好ましい。このように、着用者の大腿部の前面にわたる前面抵抗要素の斜め方向の伸長は、胴部にわたって衣服の中心線に向かっておよそ同じ斜角において上方に続いている。このことは、抵抗要素が胴部における体幹筋にわたって延びるため、体幹筋に対する下肢筋の固定を向上させるのを助ける。この構成はまた、上半身と下半身との間の連動性及び力伝達を促進させるのを助ける。
【００２２】
好ましい実施形態において、前記胴上半部被覆部の前記前面抵抗要素のそれぞれは、使用の際に前記着用者の前記胸骨に位置決めされる点の上方で該衣服の前記中心線から離れるように斜めに延びる。前面抵抗要素は、肩ストラップの真下のそれぞれの袖ぐりに向かって離れるように延びるとともに袖ぐりにおいて終端することができる。
【００２３】
前面抵抗要素及び背面抵抗要素は衣服の中心線を中心に対称的であり、各対のうちの一方が中心線の片側に延びるのが好ましい。これにより、胴体の両側からのバランスのとれた動作を引き出し、バランスのとれたサポートを確実に提供することができる。
【００２４】
衣服の中心線は、衣服が着用されているとき、衣服の中心を垂直に通って延びる（通常は衣服を２つの対称的な半体に分割する）線である。例えば、１着のジャマーにおいて、中心線は、胴下半部被覆部を下方に股部の中央まで延び、大腿部被覆部は当該中心線の両側に位置付けられる。
【００２５】
上記抵抗要素のうちの少なくとも１つは弾性シームを有することが好ましい。弾性シームは、弾性（高伸縮性）テープの裏張りを用いて加熱接合されるシーム（例えば超音波溶接シーム又は縫合シーム）を含むことが好ましい。バッキングテープは、好ましくは非弾性糸（例えばポリアミド、ポリウレタン及び／又はポリエステル）及び弾性糸（ライクラ（ＲＴＭ）等）の双方を含む織布から形成されることが好ましい。シームバッキングテープは、弾性接着剤、例えば高温溶融（temperature melt）接着剤を使用して継ぎ合わせるように接合されることが好ましい。
【００２６】
上記抵抗要素のうちの少なくとも１つは弾性特性を有する材料であるスプライスを有することが好ましい。材料は、弾性糸（例えばライクラ（ＲＴＭ））を含む生地とすることができる。スプライスの布は、非弾性糸（ナイロン等）及び弾性糸（ライクラ（ＲＴＭ）等）の双方を含む織布であることが好ましい。弾性糸（例えばライクラ（ＲＴＭ））のパーセンテージはおよそ４０重量％であることが好ましい。
【００２７】
抵抗要素の少なくとも１つは、少なくとも１つの弾性シームと弾性特性を有する材料であるスプライスとの組合せを有することが好ましい。少なくとも１つの弾性シームは衣服の残りの部に対してスプライスを固定する。スプライスは、複数（例えば２つ）の弾性シームによって衣服の残りの部に対して固定されることが好ましい。
【００２８】
材料であるスプライスは、衣服の材料に（シームを形成するのに十分な量の他に）重なるのではなく、衣服の縁に結合されることが好ましい。
【００２９】
ここで、本発明の好ましい実施形態を添付の図面を参照しながら説明する。
【図面の簡単な説明】
【００３０】
【図１】本発明の第１の実施形態の正面図である。
【図２】本発明の第１の実施形態の後方側面図である。
【図３】本発明の第２の実施形態の前方側面図である。
【図４】本発明の第２の実施形態の後方側面図である。
【図５】本発明の第３の実施形態の前方側面図である。
【図６】本発明の第３の実施形態の後方側面図である。
【発明を実施するための形態】
【００３１】
図１は、特に競泳において男性水泳者によって通常使用される１着のジャマー１の正面図を示している。
【００３２】
ジャマー１は、下肢バンド３における大腿部被覆部２の下端において終端する該大腿部被覆部２と、胴下半部被覆部４と、ウエストバンド５とを備える。
【００３３】
ジャマー１は１対の前面抵抗要素６を備え、前面抵抗要素６のそれぞれは、衣服（ジャマー１）が着用されているときに前面抵抗要素６がそれぞれの大腿部被覆部２の前方にわたって斜めに延びるように位置決めされる。
【００３４】
各前面抵抗要素６はそれぞれの上側前面位置７からそれぞれの下側前面位置９まで延びる。それぞれの上側前面位置７は、衣服（ジャマー１）が着用されているときに、着用者の大転子と略水平に同じ高さである着用者の（衣服の中心線８から離間しているが中心線８に対して近位の）それぞれの大腿部の前面中心に位置付けられ、それぞれの下側前面位置９は、着用者の（衣服の中心線８から遠位であり）膝に近接するそれぞれの外腿部に位置付けられる。したがって、前面抵抗要素６は大腿部の前面の全長に広がるとともに、下肢を内転させて維持することによって股関節をサポートするように角度付けられる。
【００３５】
各前面抵抗要素６は、そのそれぞれの上側前面位置７から胴下半部被覆部４にわたって衣服の中心線８の両側にかつ上方へウエストバンド５まで延びる。これにより、着用者の胴下半部における体幹筋に大腿筋を固定し、したがって更に大腿筋及び股関節を安定させることができる。
【００３６】
図２は、図１に示されているジャマーの後方側面図を示す。
【００３７】
ジャマー１は１対の背面抵抗要素１０を備え、背面抵抗要素１０のそれぞれは、衣服が着用されているときに背面抵抗要素１０がそれぞれの大腿部被覆部２の後方にわたって斜めに延びるように位置決めされている。
【００３８】
各背面抵抗要素１０は、それぞれの上側背面位置１１からそれぞれの下側背面位置１２まで延びる。それぞれの上側背面位置１１は、衣服が着用されているときに（衣服の中心線８に近接する）臀裂の下において着用者のそれぞれの大腿部の背面中心に位置付けられ、それぞれの下側背面位置１２は、着用者の（衣服の中心線８から遠位であり）膝に近接するそれぞれの外腿部に位置付けられる。したがって、背面抵抗要素１０は大腿部の背面の全長に広がるとともに、下肢を内転させて維持することによって股関節をサポートするように角度付けられている。
【００３９】
各背面抵抗要素１０は、そのそれぞれの上側背面位置１１から衣服の中心線８の両側にかつ中心線８に対して略平行に上記胴下半部被覆部４にわたって延び、ジャマー１が着用されているときに１対の背面抵抗要素１０のそれぞれが着用者の各臀部にわたって延びるようになっている。これにより、着用者の胴下半部における体幹筋に大腿筋を固定し、大腿筋及び股関節を更に安定させることができる。また、下肢が屈曲されるときに背面抵抗要素１０がエネルギーを蓄積することを可能にし、蓄積されたエネルギーの解放は、下肢のその非屈曲位置への動きを補助することを可能にする。
【００４０】
各前面抵抗要素６は、着用者の（膝の真上の）外腿部に位置付けられている位置１３において対応する背面抵抗要素１０に当接する。この当接により、大腿筋を更にサポートするのを支援するとともに下肢を内転させて維持する抵抗要素の起点がつくり出される。
【００４１】
図３は、特に競泳において女性水泳者によって通常使用される背中の開いたニースキンスーツ１４の前方側面図を示す。
【００４２】
上記スーツ１４は、大腿部被覆部２と、胴下半部被覆部４と、胴上半部被覆部１５とを備える。大腿部被覆部２は、その下端において下肢バンド３で終端する。
【００４３】
スーツ１４は１対の前面抵抗要素６を備え、前面抵抗要素６のそれぞれは、衣服（スーツ１４）が着用されているときに前面抵抗要素６がそれぞれの大腿部被覆部２の前方にわたって斜めに延びるように位置決めされる。
【００４４】
各前面抵抗要素６はそれぞれの上側前面位置７からそれぞれの下側前面位置９まで延び、それぞれの上側前面位置７は、衣服が着用されているときに、着用者の大転子と略水平に同じ高さである着用者の（衣服の中心線８から離間しているが中心線８に対して近位の）それぞれの大腿部の前面中心に位置付けられ、それぞれの下側前面位置９は、着用者の（衣服の中心線８から遠位であり）膝に近接するそれぞれの外腿部に位置付けられる。したがって、前面抵抗要素６は大腿部の前面の全長に広がるとともに、下肢を内転させて維持することによって股関節をサポートするように角度付けられる。
【００４５】
各前面抵抗要素６は、そのそれぞれの上側前面位置７から胴下半部被覆部４にわたって衣服の中心線８の両側にかつ胴上半部被覆部１５にわたって上方に延びる。これにより、着用者の胴部における体幹筋に大腿筋を固定し、大腿筋及び股関節を更に安定させることができる。
【００４６】
前面抵抗要素６は、衣服の中心線８の両側に対称的に延び、大腿部被覆部２に形成される斜角は、衣服が着用されているときに前面抵抗要素６が着用者の胸骨に近接する位置１６に達するまで胴下半部被覆部４及び胴上半部被覆部１５上で続いている。この位置１６において、前面抵抗要素６は衣服の中心線８から離れるように向き、スーツ１４の袖ぐり１７に向かって斜めに延びる。前面抵抗要素６を胴上半部にわたって延ばすことによって、上半身と下半身との間の連動性及び力伝達が向上する。
【００４７】
図４は、図３に示されているスーツ１４の後方側面図を示す。
【００４８】
スーツ１４は１対の背面抵抗要素１０を備え、背面抵抗要素１０のそれぞれは、衣服が着用されているときに背面抵抗要素１０がそれぞれの大腿部被覆部２の後方にわたって斜めに延びるように位置決めされる。
【００４９】
各背面抵抗要素１０は、それぞれの上側背面位置１１からそれぞれの下側背面位置１２まで延び、それぞれの上側背面位置１１は、衣服が着用されているときに（衣服の中心線８に近接する）臀裂の下において着用者のそれぞれの大腿部の背面中心に位置付けられ、それぞれの下側背面位置１２は、着用者の（衣服の中心線８から遠位であり）膝に近接するそれぞれの外腿部に位置付けられる。したがって、背面抵抗要素１０は大腿部の背面の全長に広がるとともに、下肢を内転させて維持することによって股関節をサポートするように角度付けられる。
【００５０】
各背面抵抗要素１０は、そのそれぞれの上側背面位置１１から衣服の中心線８の両側にかつ中心線８に対して略平行に上記胴下半部被覆部４にわたって延び、スーツ１４が着用されているときに１対の背面抵抗要素１０のそれぞれが着用者の臀部の左右それぞれの臀部にわたって延びるようになっている。これにより、着用者の胴下半部における体幹筋に大腿筋を固定し、大腿筋及び股関節を更に安定させることができる。また、下肢が屈曲されるときに背面抵抗要素１０がエネルギーを蓄積することを可能にし、蓄積されたエネルギーの解放は、下肢のその非屈曲位置への動きを補助するのを可能にする。
【００５１】
各前面抵抗要素６は、着用者の（膝の真上の）外腿部に位置付けられている位置１３において対応する背面抵抗要素１０に当接する。この当接により、大腿筋を更にサポートするとともに下肢を内転させて維持するのを助ける抵抗要素の起点がつくり出される。
【００５２】
図５は、特に競泳において女性水泳者によって通常使用される背中の閉じたニースキンスーツ１４’の前方側面図を示している。
【００５３】
上記スーツ１４’は、下肢バンド３における大腿部被覆部２の下端において終端する該大腿部被覆部２と、胴下半部被覆部４と、胴上半部被覆部１５とを備える。
【００５４】
スーツ１４’は１対の前面抵抗要素６を備え、前面抵抗要素６のそれぞれは、衣服が着用されているときに前面抵抗要素６がそれぞれの大腿部被覆部２の前方にわたって斜めに延びるように位置決めされる。
【００５５】
各前面抵抗要素６はそれぞれの上側前面位置７からそれぞれの下側前面位置９まで延び、それぞれの上側前面位置７は、衣服が着用されているときに、着用者の大転子と略水平に同じ高さである着用者の（衣服の中心線８から離間しているが中心線８に対して近位の）それぞれの大腿部の前面中心に位置付けられ、それぞれの下側前面位置９は、着用者の（衣服の中心線８から遠位であり）膝に近接するそれぞれの外腿部に位置付けられる。したがって、前面抵抗要素は大腿部の前面の全長に広がるとともに、下肢を内転させて維持することによって股関節をサポートするように角度付けられる。
【００５６】
各前面抵抗要素６は、そのそれぞれの上側前面位置７から胴下半部被覆部４にわたって衣服の中心線８の両側にかつ胴上半部被覆部１５にわたって上方へ延びる。これにより、着用者の胴部における体幹筋に大腿筋を固定し、大腿筋及び股関節を更に安定させることができる。
【００５７】
前面抵抗要素６は、衣服の中心線８の両側に対称的に延び、大腿部被覆部２に形成される斜角は、衣服が着用されているときに前面抵抗要素６が着用者の胸骨に近接する位置１６に達するまで胴下半部被覆部４及び胴上半部被覆部１５上で続いている。この位置１６において、前面抵抗要素６は衣服の中心線８から離れるように向き、スーツ１４’の袖ぐり１７に向かって斜めに延びる。前面抵抗要素６を胴上半部にわたって延ばすことによって、上半身と下半身との間の連動性及び力伝達が向上する。
【００５８】
図６は、図５に示されているスーツ１４’の後方側面図を示す。
【００５９】
スーツ１４’は１対の背面抵抗要素１０を備え、背面抵抗要素１０のそれぞれは、衣服が着用されているときに背面抵抗要素１０がそれぞれの大腿部被覆部２の後方にわたって斜めに延びるように位置決めされる。
【００６０】
各背面抵抗要素１０は、それぞれの上側背面位置１１からそれぞれの下側背面位置１２まで延び、それぞれの上側背面位置１１は、衣服が着用されているときに（衣服の中心線８に近接する）臀裂の下において着用者のそれぞれの大腿部の背面中心に位置付けられ、それぞれの下側背面位置１２は、着用者の（衣服の中心線８から遠位であり）膝に近接するそれぞれの外腿部に位置付けられる。したがって、背面抵抗要素１０は、大腿部の背面の全長に広がるとともに、下肢を内転させて維持することによって股関節をサポートするように角度付けられる。
【００６１】
各背面抵抗要素１０は、そのそれぞれの上側背面位置１１から衣服の中心線８の両側にかつ中心線８に対して略平行に上記胴下半部被覆部４にわたって延び、スーツ１４’が着用されているときに１対の背面抵抗要素１０のそれぞれが着用者の臀部の左右それぞれの臀部にわたって延びるようになっている。これにより、着用者の胴下半部における体幹筋に大腿筋を固定し、大腿筋及び股関節を更に安定させることができる。また、下肢が屈曲されるときに背面抵抗要素１０がエネルギーを蓄積することを可能にし、蓄積されたエネルギーの解放は、下肢のその非屈曲位置への動きを補助するのを可能にする。
【００６２】
各前面抵抗要素６は、着用者の（膝の真上の）外腿部に位置付けられている位置１３において対応する背面抵抗要素１０に当接する。この当接により、大腿筋を更にサポートするとともに下肢を内転させて維持するのを助ける抵抗要素の起点がつくり出される。
【００６３】
上記スーツ１４’は、スーツ１４’のネックライン１９から股部２０まで延びる背面中心線抵抗要素１８を更に備える。着用されているとき、この抵抗要素１８は着用者の脊柱の方向に沿い、着用者が水中で有利な姿勢を維持するのを補助する。
【００６４】
記載されている３つ全ての実施形態では、背面抵抗要素１０は、大腿部被覆部及び胴下半部被覆部にわたって延びるときに、高伸縮性テープの裏張りを用いて加熱接着された超音波溶接弾性シームによってスーツ／ジャマーの基布に接合される弾性材料のスプライスを有する。例えば、スーツ／ジャマーは、非弾性糸（ナイロン等）及び弾性糸（ライクラ（ＲＴＭ）等）の双方を含む、縦編みニット生地等の基布から形成することができる。弾性糸（例えばライクラ（ＲＴＭ））のパーセンテージはおよそ４０重量％とすることができる。抵抗要素は非弾性糸（ナイロン等）及び弾性糸（ライクラ（ＲＴＭ）等）の双方を含む、高伸縮性織布から形成される。
【００６５】
第３の実施形態では背面抵抗要素が胴上半部被覆部にわたって延びるとき、背面抵抗要素は高伸縮性テープの裏張りを用いて加熱接合された超音波溶接弾性シームのみから形成される。
【００６６】
シームテープ（高伸縮性テープの裏張り）は織布であることが好ましい。シームテープは、非弾性糸（ポリアミド及びポリウレタン等）及び弾性糸（ライクラ（ＲＴＭ）等）の双方を含む、幅が１８ｍｍである織布テープであることが好ましい。テープは１５０％の伸張を有することが好ましい。完成したシームを形成するようにシームテープを接合するために、一方の面に高温溶融接着剤が塗布される。
【００６７】
記載されている３つ全ての実施形態では、背面抵抗要素１０は、大腿部被覆部にわたって延びるとき、背面抵抗要素に関して上述したように高伸縮性テープの裏張りを用いて加熱接合される超音波溶接弾性シームを用いてスーツ／ジャマーの基布に対して接合される弾性材料のスプライスを有する。
【００６８】
第２の実施形態及び第３の実施形態では前面抵抗要素は胴下半部被覆部及び胴上半部被覆部にわたって延びるとき、前面抵抗要素は上述したように弾性シームのみから形成される。
【００６９】
第３の実施形態では、背面中心線抵抗要素は、高伸縮性テープの裏張りを用いて加熱接合される超音波溶接弾性シームによってスーツ／ジャマーの基布に対して接合される弾性材料のスプライスを有する。この材料のスプライスは、ネックラインの真下から胴下半部被覆部の中央まで延びる。抵抗要素は、ネックラインから材料のスプライスまで、そして材料のスプライスからスーツの股部まで、弾性シームのみの形態をとる。
【００７０】
当業者には、図に示されているとともに上記に記載されているスーツ／ジャマーは、本明細書において記載されている本発明の構想を具現する例であること、及び多くの種々の変更を本発明から逸脱することなく行うことができることが理解される。
【図１】
2014515440.tif 000003
【図２】
2014515440.tif 000004
【図３】
2014515440.tif 000005
【図４】
2014515440.tif 000006
【図５】
2014515440.tif 000007
【図６】
2014515440.tif 000008
【国際調査報告】
2014515440.tif 000009
2014515440.tif 000010
2014515440.tif 000011
2014515440.tif 000012
2014515440.tif 000013